(57)【特許請求の範囲】
【請求項１】
円錐孔面１５を有するチャックケース１４と、軸方向に複数割りした円錐形ウエッジ１１とからなるチャック装置３１における前記円錐形ウエッジ１１の小径端５６に、チャック解除装置３６を臨設し、円錐形ウエッジ１１の大径端５７に、チャック押し込み装置３７を臨設し、前記チャック解除装置３６は、前記チャックケース１４の一端側に設けられた筒体３８と、この筒体３８内に進退自在に嵌合した解除ロッド４１とからなり、この解除ロッド４１に、前記筒体３８の圧気口４３に連通して前記円錐形ウエッジ１１の小径端５６から離反する方向に圧搾空気が加えられる圧気受圧面４５と、前記筒体３８の圧油口４４に連通して前記円錐形ウエッジ１１の小径端５６を押し込む方向に圧油が加えられる圧油受圧面４６とを形成し、前記チャック押し込み装置３７は、前記チャックケース１４の他端側に設けられた筒体４７と、この筒体４７内に進退自在に嵌合した押し込みロッド５０とからなり、この押し込みロッド５０に、前記筒体４７の圧気口５２に連通して前記円錐形ウエッジ１１の大径端５７を押し込む方向に圧搾空気が加えられる圧気受圧面５４と、前記筒体４７の圧油口５３に連通して前記円錐形ウエッジ１１の大径端５７から離反する方向に圧油が加えられる圧油受圧面５５とを形成し、前記筒体３８の圧気口４３と前記筒体４７の圧気口５２とを常時空気圧を供給する圧気供給端５８に連結し、前記筒体３８の圧油口４４と前記筒体４７の圧油口５３とをチャック解除時に圧油を供給する圧油供給端５９に連結したことを特徴とするチャックの定着装置。
【請求項２】
昇降用ジャッキ６０にジャッキ側チャック装置３１ａと盛替え側チャック装置３１ｂとを設け、これらのジャッキ側チャック装置３１ａ及び盛替え側チャック装置３１ｂは、それぞれ円錐孔面１５を有するチャックケース１４と、軸方向に複数割りした円錐形ウエッジ１１とからなるチャック装置３１における前記円錐形ウエッジ１１の小径端５６に、チャック解除装置３６を臨設し、円錐形ウエッジ１１の大径端５７に、チャック押し込み装置３７を臨設し、前記チャック解除装置３６は、前記チャックケース１４の一端側に設けられた筒体３８と、この筒体３８内に進退自在に嵌合した解除ロッド４１とからなり、この解除ロッド４１に、前記筒体３８の圧気口４３に連通して前記円錐形ウエッジ１１の小径端５６から離反する方向に圧搾空気が加えられる圧気受圧面４５と、前記筒体３８の圧油口４４に連通して前記円錐形ウエッジ１１の小径端５６を押し込む方向に圧油が加えられる圧油受圧面４６とを形成し、前記チャック押し込み装置３７は、前記チャックケース１４の他端側に設けられた筒体４７と、この筒体４７内に進退自在に嵌合した押し込みロッド５０とからなり、この押し込みロッド５０に、前記筒体４７の圧気口５２に連通して前記円錐形ウエッジ１１の大径端５７を押し込む方向に圧搾空気が加えられる圧気受圧面５４と、前記筒体４７の圧油口５３に連通して前記円錐形ウエッジ１１の大径端５７から離反する方向に圧油が加えられる圧油受圧面５５とを形成し、前記筒体３８の圧気口４３と前記筒体４７の圧気口５２とを常時空気圧を供給する圧気供給端５８に連結し、前記筒体３８の圧油口４４と前記筒体４７の圧油口５３とをチャック解除時に圧油を供給する圧油供給端５９に連結したことを特徴とするチャックの定着装置。
【発明の詳細な説明】
【０００１】
【発明の属する技術分野】
本発明は、ＰＣストランド等の支持体を用いて重量物を吊り下げて、リフトアップやリフトダウンするようなとき、又はロッド等の支持体にて重量物を連結して横方向に移動するようなときに、チャックの定着と解除が瞬間的に、かつ、確実に行われるようにしたチャックの定着装置に関するものである。
【０００２】
【従来の技術】
従来から図３に示すように、重量物支持体としてのＰＣストランド等のワイヤ１０で重量物を吊り下げて、センターホールジャッキによりリフトアップやリフトダウンをするようなときに、ワイヤ１０をチャッキングするためのチャック装置３１が使用されてきた。このチャック装置３１は、チャックケース１４の上面に円錐孔面１５を形成し、かつ、その中央部に挿通孔１６を穿設し、この挿通孔１６に、重量物を吊り下げたワイヤ１０を挿通し、ワイヤ１０の回りには、図４に示すような軸方向にすり割り１２を有するように３つ割りした円錐形ウエッジ１１をあてがい、前記円錐孔面１５に嵌合すると、重量物の荷重により円錐形ウエッジ１１の中心孔面の咬着面１３がワイヤ１０の表面に食い込みながら係止してチャッキングし、重量物を保持するものである。
【０００３】
ワイヤ１０で吊り下げた重量物を、リフトアップまたはリフトダウンするには、図５に示すように、ジャッキ側チャック装置３１ａと盛替え側チャック装置３１ｂの少なくとも２つのチャック装置が使用される。
リフトアップするときには、昇降用ジャッキ６０のシリンダー２２のオイル口３２にオイルを圧入すると、ピストンロッド２３が上昇し、このピストンロッド２３と一体のジャッキ側チャック装置３１ａのチャックケース１４が上昇し、円錐形ウエッジ１１でワイヤ１０を咬着しつつ重量物をリフトアップする。盛替え側チャック装置３１ｂでは、チャックケース１４が上昇しないが、ワイヤ１０の上昇により円錐形ウエッジ１１がコイルばね２７に抗してやや上昇するので、盛替え側チャック装置３１ｂのチャッキングは解除される。
【０００４】
ピストンロッド２３がストロークエンドまで上昇すると、今度は、オイル口３３からオイルが圧入されてピストンロッド２３は、下降を開始する。このとき、盛替え側チャック装置３１ｂの円錐形ウエッジ１１がコイルばね２７に押されてチャックケース１４に嵌合し、ワイヤ１０に食い込み咬着して、ワイヤ１０の下降が阻止される。ピストンロッド２３の下降により、ジャッキ側チャック装置３１ａのチャックケース１４が強制的に下降して、円錐形ウエッジ１１との咬着状態が解除され、ピストンロッド２３が下降する。
ピストンロッド２３がシリンダー２２の最下端まで達すると、元の状態に戻り、以下、同様の上下動を繰り返してワイヤ１０に吊り下げられた重量物をリストアップする。
【０００５】
また、ワイヤ１０に吊り下げられた重量物をリフトダウンするときには、ジャッキ側チャック装置３１ａの円錐形ウエッジ１１を、油圧シリンダーや手動レバーで押し上げたり、上から引き上げたりする方法により、コイルばね２７に抗して押し上げてチャッキングを解除し、ピストンロッド２３をストロークエンド近くまで上昇させる。その後、ジャッキ側チャック装置３１ａの円錐形ウエッジ１１の押し上げを解除してコイルばね２７により円錐形ウエッジ１１を閉じてチャッキングする。
ついで、盛替え側チャック装置３１ｂの円錐形ウエッジ１１を、図示しない前記同様の方法により押し上げてチャッキングを解除し、昇降用ジャッキ６０のシリンダー２２のオイルをオイル口３２から徐々に抜くことによりワイヤ１０に吊り下げられた重量物を下降する。ピストンロッド２３がストロークエンド近くまで下降したら、盛替え側チャック装置３１ｂの円錐形ウエッジ１１の押し上げを解除してコイルばね２７により円錐形ウエッジ１１を閉じてワイヤ１０をチャッキングし、元の状態に戻り、以下、同様の上下動を繰り返してワイヤ１０に吊り下げられた重量物をリフトダウンする。
【０００６】
以上、ワイヤ１０を用いて重量物を吊り下げて、リフトアップやリフトダウンする場合について説明したが、ロッド等の支持体にて重量物を連結して水平方向、斜め方向などに移動する場合も同様である。
【０００７】
【発明が解決しようとする課題】
円錐形ウエッジ１１の油圧シリンダーによる開放で、コイルばね２７による押し込みの場合は、開放側の油圧シリンダーの戻り圧力（ホース流量抵抗による）を戻しながら円錐形ウエッジ１１を押し込むので、押し込みと開放との間に多少の時間差を生じる。そのため、重量物のずれ、滑りなどが生じる恐れがある。特に、複数個のジャッキを連動した多連動のジャッキにおいては、瞬間的にすべて同時に動作させることが望まれ、もし、個々に時間差が生じると思わぬ事故の原因になりかねない。
【０００８】
円錐形ウエッジ１１の手動レバーによる開放は、組立て、解体時のストランド張力の開放に使用されており、ジャッキ側チャック装置３１ａと盛替え側チャック装置３１ｂの反復繰り返しの交互操作による重量物の移動には使用されていない。
【０００９】
円錐形ウエッジ１１の油圧シリンダー押し込みの場合には、開放シリンダーの電磁弁への中立信号と共に、押し込みシリンダーにも信号を出し、押し込みに油圧回路を切り替えて制御することもできる。しかし、この方法では、余分な配管材を必要とし、しかも、押し込みシリンダーストロークの伸長に多少の時間がかかる、という問題がある。
【００１０】
本発明は、円錐形ウエッジの開閉動作の応答速度が早く、確実に動作し、また、逸送現象を起こしたときは、緊急停止を行うと共に、瞬時に逸送を停止する装置を提供することを目的とするものである。
【００１１】
【課題を解決するための手段】
本発明は、円錐孔面１５を有するチャックケース１４と、軸方向に複数割りした円錐形ウエッジ１１とからなるチャック装置３１の円錐形ウエッジ１１の小径端５６に、チャック解除装置３６を臨設し、円錐形ウエッジ１１の大径端５７に、チャック押し込み装置３７を臨設してなるチャックの定着装置において、前記チャック解除装置３６は、筒体３８と、この筒体３８内に進退自在に嵌合した解除ロッド４１とからなり、この解除ロッド４１に、前記円錐形ウエッジ１１の小径端５６から離反する方向に圧搾空気が加えられる圧気受圧面４５と、前記円錐形ウエッジ１１の小径端５６を押し込む方向に圧油が加えられる圧油受圧面４６とを形成し、前記チャック押し込み装置３７は、筒体４７と、この筒体４７内に進退自在に嵌合した押し込みロッド５０とからなり、この押し込みロッド５０に、前記円錐形ウエッジ１１の大径端５７を押し込む方向に圧搾空気が加えられる圧気受圧面５４と、前記円錐形ウエッジ１１の大径端５７から離反する方向に圧油が加えられる圧油受圧面５５とを形成したことを特徴とするチャックの定着装置である。
【００１２】
ワイヤ１０で吊り下げた重量物を、リフトアップまたはリフトダウンするには、本発明のチャックの定着装置を２台用意し、一方がジャッキ側チャック装置として、他方が盛替え側チャック装置として使用される。
また、支持体としてのワイヤ１０に重量物を連結して水平方向、斜め方向などに横引きして移動する場合や支持体としてのロッドに重量物を連結して水平方向、斜め方向などに押し込み移動する場合も利用できる。
【００１３】
【発明の実施の形態】
本発明の一実施例を図面に基づき説明する。
３１は、チャック装置で、このチャック装置３１は、前述した図３及び図４に示すように、重量物支持体としてのＰＣストランド等のワイヤ１０で重量物を吊り下げて、センターホールジャッキによりリフトアップやリフトダウンをするときに、ワイヤ１０をチャッキングするためのものである。
このチャック装置３１は、チャックケース１４と円錐形ウエッジ１１とからなり、前記チャックケース１４には、上方が大きな径で、下方が小さな径の円錐孔面１５が形成されるとともに、中央下端部に挿通孔１６が穿設され、また、上方が大径端５７で下方が小径端５６の前記円錐形ウエッジ１１には、軸方向に３つ割りにするためのすり割り１２が形成されるとともに、中心孔の内面にねじ山のような山形の凹凸からなる咬着面１３が形成され、ワイヤ１０の表面に食い込みながら係止してチャッキングし、重量物を保持するものである。
【００１４】
前記チャック装置３１には、図１に示すように、下端部にチャック解除装置３６が固定的に取り付けられ、上端部にチャック押し込み装置３７が固定的に取り付けられている。
前記チャック解除装置３６は、前記チャック装置３１のチャックケース１４の下端部に固着された筒体３８と、この筒体３８内で上下進退する解除ロッド４１からなり、前記筒体３８の上半部の小径孔３９には、前記解除ロッド４１の小径部６５が気密に嵌合し、この小径部６５の先端部４２が前記円錐形ウエッジ１１の下端の小径端５６に臨ませられ、また、筒体３８の下半部の大径孔４０には、前記解除ロッド４１の大径部６６が気密に嵌合し、この大径部６６の上の段部が圧気受圧面４５となり、下の段部が圧油受圧面４６となっている。さらに、前記筒体３８には、大径孔４０における圧気受圧面４５に連通して圧気口４３が形成され、また、大径孔４０における圧油受圧面４６に連通して圧油口４４が形成されている。前記解除ロッド４１の中心部には、支持体１０を挿通する貫通孔６３が穿設されている。
【００１５】
前記チャック押し込み装置３７は、前記チャック装置３１のチャックケース１４の上端部に隙間を有するように連結筒体６２を介して固着された筒体４７と、この筒体４７内で上下進退する押し込みロッド５０からなり、前記筒体４７の下半部の小径孔４８には、前記押し込みロッド５０の小径部６５が気密に嵌合し、この小径部６５の先端部５１が前記円錐形ウエッジ１１の上端の大径端５７に一体に固着された受圧筒２８の上端部と隙間を持って臨ませられると共に、筒体４７の下端面と円錐形ウエッジ１１の大径端５７との間にチャック押し込み用のコイルばね２７が介在され、また、筒体４７の上半部の大径孔４９には、前記押し込みロッド５０の大径部６６が気密に嵌合し、この大径部６６の上の段部が圧気受圧面５４となり、下の段部が圧油受圧面５５となっている。さらに、筒体４７には、大径孔４９における圧気受圧面５４に連通して圧気口５２が形成され、また、大径孔４９における圧油受圧面５５に連通して圧油口５３が形成されている。前記押し込みロッド５０の中心部には、支持体１０を挿通する貫通孔６４が穿設されている。
【００１６】
前記チャック解除装置３６における圧気口４３とチャック押し込み装置３７における圧気口５２は、圧気供給端５８に連結され、また、前記チャック解除装置３６における圧油口４４とチャック押し込み装置３７における圧油口５３は、圧油供給端５９に連結されている。
【００１７】
以上のような構成による本発明のチャックの定着装置の作用を説明する。
チャック解除装置３６の圧気口４３とチャック押し込み装置３７の圧気口５２に、圧搾空気が増圧機で調整されて、密封した状態で常時供給されている状態では、チャック解除装置３６の解除ロッド４１とチャック押し込み装置３７の押し込みロッド５０が共に下降しているが、チャック装置３１を開放するために圧油供給端５９から圧油口５３と圧油口４４に油圧が徐々に加えられると、チャック押し込み装置３７における押し込みロッド５０は、圧油受圧面５５で受けた油圧により上昇し、また、チャック解除装置３６における解除ロッド４１は、圧油受圧面４６で受けた油圧により上昇し、その先端部４２でコイルばね２７に抗して円錐形ウエッジ１１を押し上げ、チャック装置３１を開放する。このとき、圧気口４３、圧気口５２、圧気供給端５８などの管路内の空気圧が圧縮される。
【００１８】
つぎに、チャック解除装置３６の圧気口４３とチャック押し込み装置３７の圧気口５２に圧搾空気が常時供給され、かつ、管路内の空気圧が圧縮されている状態において、チャック装置３１を定着するため、圧油供給端５９の油圧を、電磁弁、手動弁等で開放すると、前記圧縮空気の存在により、チャック解除装置３６における解除ロッド４１は、圧気受圧面４５で受けている圧縮空気により急激に下降し、また、チャック押し込み装置３７における押し込みロッド５０は、圧気受圧面５４で受けている圧縮空気により、大径端５７を介して円錐形ウエッジ１１を急激に押し込み、チャック装置３１を定着し、支持体１０を即座に、かつ、確実に咬着する。
【００１９】
チャック装置３１、チャック解除装置３６、チャック押し込み装置３７からなる本発明のチャックの定着装置を利用して、図５に示すように、ワイヤ１０で吊り下げた重量物を、リフトアップまたはリフトダウンするには、本発明のチャックの定着装置を２台用意し、一方がジャッキ側チャック装置として、他方が盛替え側チャック装置として使用される。以下、具体的動作手順を説明する。
（１）リフトアップの動作手順
リフトアップするときには、盛替え側チャック装置として使用されたチャック解除装置３６とチャック押し込み装置３７に油圧を加えてチャック装置３１を開放し、ジャッキ側チャック装置として使用されたチャック解除装置３６とチャック押し込み装置３７における油圧の弁を開放すると、チャック装置３１が定着される。
この状態で、重量物昇降用ジャッキを上昇させると、一体のチャック装置３１の円錐形ウエッジ１１でワイヤ１０を咬着しつつ重量物をリフトアップする。
【００２０】
ジャッキがストロークエンドまで上昇すると、今度は、盛替え側チャック装置として使用されたチャック解除装置３６とチャック押し込み装置３７における油圧の弁を開放し、チャック押し込み装置３７の押し込みロッド５０が圧縮された空気により下降して円錐形ウエッジ１１を押し込み、チャック装置３１を定着し、また、ジャッキ側チャック装置として使用されたチャック解除装置３６とチャック押し込み装置３７に油圧を加えてチャック装置３１を開放できるようにする。この状態でジャッキのみの下降を開始する。荷重は、ジャッキ側から盛替え側へ移動する。
ジャッキがストロークエンドまで達すると、元の状態に戻り、以下、同様の上下動を繰り返してワイヤ１０に吊り下げられた重量物をリフトアップする。
【００２１】
（２）リフトダウンの動作手順
ワイヤ１０に吊り下げられた重量物をリフトダウンするときには、ジャッキ側チャック装置として使用されたチャック解除装置３６とチャック押し込み装置３７における油圧の弁を開放し、チャック押し込み装置３７の押し込みロッド５０が圧縮された空気により下降して円錐形ウエッジ１１を押し込み、チャック装置３１を定着し、また、ジャッキ側チャック装置として使用されたチャック解除装置３６とチャック押し込み装置３７に油圧を加えてチャック装置３１を開放できるようにする。この状態で昇降用ジャッキにより支持体１０に吊り下げられた重量物の上昇を行い、ジャッキ側に荷重を移し、盛替え側の開放を行い、下降を開始する。
【００２２】
ジャッキがストロークエンド近くまで下降したら、盛替え側チャック装置として使用されたチャック解除装置３６とチャック押し込み装置３７における油圧の弁を開放し、チャック押し込み装置３７の押し込みロッド５０が圧縮された空気により下降して円錐形ウエッジ１１を押し込み、チャック装置３１を定着し、また、ジャッキ側チャック装置として使用されたチャック解除装置３６とチャック押し込み装置３７に油圧を加えてチャック装置３１を開放できるようにする。この状態で昇降用ジャッキを下降させて盛替え側に荷重を移動させて元の位置まで上昇させる。以下、同様の上下動を繰り返してワイヤ１０に吊り下げられた重量物をリフトダウンする。
【００２３】
以上、ワイヤ１０を用いて重量物を吊り下げて、リフトアップやリフトダウンする場合について説明したが、支持体としてのワイヤ１０に重量物を連結して水平方向、斜め方向などに横引きして移動する場合や支持体としてのロッドに重量物を連結して水平方向、斜め方向などに押し込み移動する場合も同様である。
【００２４】
前記図１の実施例では、チャック装置３１の下端にチャック解除装置３６を、上端にチャック押し込み装置３７を設けた場合について説明したが、これに限られるものではなく、チャック装置３１の下端にチャック解除装置３６のみを設け、上端のチャック押し込み装置３７を省略したものであってもよい。その実施例が図２に示されている。
この図２において、昇降用ジャッキ６０の下端に外枠６１が固着され、この外枠６１内に、チャック装置３１とチャック解除装置３６からなる盛替え側チャック装置３１ｂが収納され、また、前記昇降用ジャッキ６０のピストンロッド２３の上端部に、チャック装置３１とチャック解除装置３６からなるジャッキ側チャック装置３１ａが固着されているものである。この例における具体的動作手順を説明する。
【００２５】
（１）リフトアップの動作手順
リフトアップするときには、盛替え側チャック装置３１ｂのチャック解除装置３６に油圧を加えてチャック装置３１を開放し、ジャッキ側チャック装置３１ａのチャック解除装置３６における油圧の弁を開放すると、チャック装置３１が定着される。
この状態で、昇降用ジャッキ６０のオイル口３２に圧油を送り、ピストンロッド２３を上昇させると、ジャッキ側チャック装置３１ａの円錐形ウエッジ１１でワイヤ１０を咬着しつつ重量物をリフトアップする。
【００２６】
昇降用ジャッキ６０のピストンロッド２３がストロークエンドまで上昇すると、今度は、盛替え側チャック装置３１ｂのチャック解除装置３６における油圧の弁を開放する。解除ロッド４１は、圧気口４３からの圧搾空気で下降するので、円錐形ウエッジ１１がコイルばね２７で押し込まれ、チャック装置３１を定着する。また、ジャッキ側チャック装置３１ａのチャック解除装置３６に油圧を加えてチャック装置３１を開放できるようにする。この状態で昇降用ジャッキ６０のオイル口３３に圧油を加え、ピストンロッド２３の下降を開始する。
昇降用ジャッキ６０のピストンロッド２３がストロークエンドまで達すると、元の状態に戻り、以下、同様の上下動を繰り返してワイヤ１０に吊り下げられた重量物をリフトアップする。
【００２７】
（２）リフトダウンの動作手順
ワイヤ１０に吊り下げられた重量物をリフトダウンするときには、盛替え側チャック装置３１ｂのチャック解除装置３６における油圧の弁を開放し、解除ロッド４１を圧搾空気で下降し、コイルばね２７により円錐形ウエッジ１１を押し込み、チャック装置３１を定着し、また、ジャッキ側チャック装置３１ａのチャック解除装置３６に油圧を加えてチャック装置３１を開放する。この状態で昇降用ジャッキ６０によりジャッキ側チャック装置３１ａを上昇する。
昇降用ジャッキ６０がストロークエンド近くまで上昇したら、ジャッキ側チャック装置３１ａのチャック解除装置３６における油圧の弁を開放し、解除ロッド４１を圧搾空気で下降し、コイルばね２７により円錐形ウエッジ１１を押し込み、チャック装置３１を定着し、また、盛替え側チャック装置３１ｂのチャック解除装置３６に油圧を加えてチャック装置３１を開放する。この状態で昇降用ジャッキ６０により重量物を下降させる。以下、同様の上下動を繰り返してワイヤ１０に吊り下げられた重量物をリフトダウンする。
【００２８】
以上、ワイヤ１０を用いて重量物を吊り下げて、リフトアップやリフトダウンする場合について説明したが、支持体としてのワイヤ１０に重量物を連結して水平方向、斜め方向などに横引きして移動する場合や支持体としてのロッドに重量物を連結して水平方向、斜め方向などに押し込み移動する場合も同様である。
【００２９】
図２に示した実施例では、チャック装置３１の下端部にチャック解除装置３６のみを取り付けたが、チャック装置３１を急速定着するため、チャック装置３１の上端部にチャック押し込み装置３７だけを取り付けるようにしてもよい。
前記実施例では、チャック装置３１の上端部にチャック押し込み装置３７を取り付けた場合において、チャック装置３１の円錐形ウエッジ１１を押し込むためのコイルばね２７を省略することができる。
【００３０】
【発明の効果】
本発明は、上述のように、重量物のリフトアップ、リフトダウン、横引きなどの移動作業時の逸送防止のチャック開閉において、円錐形ウエッジ１１の押し込みと開放とが瞬時に確実に行われ、重量物のずれ、滑りなどが生じる恐れが全くない。
【００３１】
本発明のチャックの定着装置をジャッキ側チャック装置３１ａと盛替え側チャック装置３１ｂとして使用したときは、反復繰り返しの交互操作による重量物の移動に優れた効果を発揮する。
【００３２】
従って、本発明のチャックの定着装置によれば、円錐形ウエッジの開閉動作の応答速度が早く、確実に動作し、また、逸送現象を起こしたときは、緊急停止を行うと共に、瞬時に逸送を停止する装置を安価に提供することができる。
【図面の簡単な説明】
【図１】本発明によるチャックの定着装置の一実施例を示す断面図である。
【図２】本発明によるチャックの定着装置の他の実施例を昇降用ジャッキ６０に利用した断面図である。
【図３】従来のチャック装置における円錐形ウエッジ１１とチャックケース１４の嵌合状態を示す断面図である。
【図４】図３における円錐形ウエッジ１１の斜視図である。
【図５】従来のジャッキ装置に用いられたチャック装置３１の動作説明のための断面図のである。
【符号の説明】
１０…支持体、１１…円錐形ウエッジ、１２…すり割り、１３…咬着面、１４…チャックケース、１５…円錐孔面、１６…挿通孔、１８…基礎台、２２…シリンダ、２３…ピストンロッド、２６…カバー、２７…コイルばね、２８…受圧筒、３１…チャック装置、３１ａ…ジャッキ側チャック装置、３１ｂ…盛替え側チャック装置、３２…オイル口、３３…オイル口、３６…チャック解除装置、３７…チャック押し込み装置、３８…筒体、３９…小径孔、４０…大径孔、４１…解除ロッド、４２…先端部、４３…圧気口、４４…圧油口、４５…圧気受圧面、４６…圧油受圧面、４７…筒体、４８…小径孔、４９…大径孔、５０…押し込みロッド、５１…先端部、５２…圧気口、５３…圧油口、５４…圧気受圧面、５５…圧油受圧面、５６…小径端、５７…大径端、５８…圧気供給端、５９…圧油供給端、６０…昇降用ジャッキ、６１…外枠、６２…連結筒体、６３…貫通孔、６４…貫通孔、６５…小径部、６６…大径部。
【図１】
0003587504.tif 000002
【図２】
0003587504.tif 000003
【図３】
0003587504.tif 000004
【図４】
0003587504.tif 000005
【図５】
0003587504.tif 000006